(57)【要約】【課題】ピックアップベースをリードスクリューの一端側に係止すると共に実使用時には容易にピックアップベースの係止を解除する。【解決手段】光ディスク４の径方向に亘って延設され、軸方向に螺旋状のネジ溝４７を有するリードスクリュー４２と、ピックアップベース３６に設けられ、ネジ溝４７に螺合されることによりリードスクリュー４２が回転されると光ディスク４の内外周間に亘って移動されるラック部材４８とを備え、ラック部材４８は、リードスクリュー４２の外周側端部に係合される係合部５６が設けられ、リードスクリュー４２は、光ディスク４の最外周に対応した位置に、リードスクリュー４２と共に回転されると、最外周に位置するラック部材４４の係合部５６と係合しピックアップベース３６を係止させ、また内周側に送り操作されたラック部材４４の係合部５６との係合が解除される係止部材４８を有する。【選択図】図３
2005108382.tif 000002
【特許請求の範囲】
【請求項１】
ディスク回転駆動機構に装着された光ディスクの内外周間に亘って延設され、軸方向に沿って螺旋状のネジ溝が形成されたリードスクリューと、
上記光ディスクに対して情報信号の記録又は再生を行う光ピックアップ装置のピックアップベースに設けられ、上記リードスクリューのネジ溝に螺合されることにより該リードスクリューが回転駆動されると上記光ディスクの最内周と最外周との間に亘って送り操作されるラック部材とを備え、
上記ラック部材は、上記リードスクリューの最内周側端部又は最外周側端部に係合される係合部が設けられ、
上記リードスクリューは、上記光ディスクの最内周又は最外周に対応した位置に、上記リードスクリューと共に一方に回転されることにより上記光ディスクの最内周又は最外周に送り操作された上記ラック部材の係合部と係合して上記ピックアップベースを係止させ、上記リードスクリューと共に他方に回転されることにより上記光ディスクの信号記録領域に送り操作された上記ラック部材の係合部との係合が解除される係止部材が形成されている光ピックアップ送り機構。
【請求項２】
上記ラック部材の係合部と上記係止部材とは、上記リードスクリューの軸方向に対して直交する面同士が突き合わされて係合されることを特徴とする請求項１記載の光ピックアップ送り機構。
【請求項３】
上記係止部材は、上記リードスクリューに形成されたネジ溝と略同一の傾斜を有する傾斜面が形成され、上記ラック部材の係合部と嵌合される嵌合溝を有することを特徴とする請求項１記載の光ピックアップ送り機構。
【請求項４】
上記ラック部材の係合部は係合凹部を有し、
上記係止部材は上記係合凹部に係合される係合突部からなることを特徴とする請求項１記載の光ピックアップ送り機構。
【請求項５】
光ディスクを回転可能に保持するディスク回転駆動機構と、
上記光ディスクに対して情報信号の記録又は再生を行う光ピックアップ装置と、
上記光ピックアップ装置を上記ディスク回転駆動機構に保持された上記光ディスクの径方向に亘って送り操作する光ピックアップ送り機構とを備え、
上記光ピックアップ送り機構は、上記ディスク回転駆動機構に装着された上記光ディスクの径方向に亘って延設され、軸方向に沿って螺旋状のネジ溝が形成されたリードスクリューと、上記光ピックアップ装置のピックアップベースに設けられ、上記リードスクリューのネジ溝に螺合されることにより該リードスクリューが回転駆動されると上記光ディスクの最内周と最外周との間に亘って送り操作されるラック部材とを有し、
上記ラック部材は、上記リードスクリューの最内周側端部又は最外周側端部に係合される係合部が設けられ、
上記リードスクリューは、上記光ディスクの最内周又は最外周に対応した位置に、上記リードスクリューと共に一方に回転されることにより上記光ディスクの最内周又は最外周に送り操作された上記ラック部材の係合部と係合して上記ピックアップベースを係止させ、上記リードスクリューと共に他方に回転されることにより上記光ディスクの信号記録領域に送り操作された上記ラック部材の係合部との係合が解除される係止部材が形成されている記録再生装置。
【請求項６】
上記ラック部材の係合部と上記係止部材とは、上記リードスクリューの軸方向に対して直交する面同士が突き合わされて係合されることを特徴とする請求項５記載の記録再生装置。
【請求項７】
上記係止部材は、上記リードスクリューに形成されたネジ溝と略同一の傾斜を有する傾斜面が形成され、上記ラック部材の係合部と嵌合される嵌合溝を有することを特徴とする請求項５記載の記録再生装置。
【請求項８】
上記ラック部材の係止部は係合凹部を有し、
上記係止部材は上記係合凹部に係合される係合突部からなることを特徴とする請求項５記載の記録再生装置。
【発明の詳細な説明】
【技術分野】
【０００１】
本発明は、光ディスクに対して情報信号の記録又は再生を行う光ピックアップ装置を光ディスクの径方向に送り操作する光ピックアップ送り機構及びこれを用いた記録再生装置に関する。
【背景技術】
【０００２】
従来より、光ディスクに対して情報信号の記録又は再生を行う光ピックアップ装置を備えた記録及び／又は再生装置（以下、「記録再生装置」という。）がある。この種の記録再生装置は、装置本体内に挿入された光ディスクを回転自在に保持するディスク回転駆動機構と、ディスク回転駆動機構に保持された光ディスクに対して対物レンズを介してレーザ光を照射するとともに信号記録領域からの反射光を検出する光ピックアップ装置と、この光ピックアップ装置を光ディスクの内外周に亘って送り操作する光ピックアップ送り機構を備える。
【０００３】
光ピックアップ装置１００は、図１４に示すように、略矩形状のピックアップベース１０１を備え、このピックアップベース１０１に少なくとも、半導体レーザ等の光源と、この光源から出射された光ビームを光ディスクの信号記録面に収束させる対物レンズと、対物レンズをトラッキング方向及びフォーカシング方向に駆動する二軸アクチュエータ等の駆動系と、光ディスクの信号記録面からの反射の戻り光を検出する光検出素子とが設けられている。また、光ピックアップ装置１００は、ピックアップベース１０１の長手方向の両端側に、ピックアップベース１０１の移動をガイドする一対のガイド軸１０２，１０３が挿通される挿通孔が形成されている。ピックアップベース１０１は、ガイド軸１０２，１０３にガイドされることにより、ディスク回転駆動機構に装着された光ディスクの径方向に亘って移動可能とされ、光ピックアップ送り機構１０４によって光ディスクの内外周に亘って送り操作される。なお、ピックアップベース１０１には、対物レンズの駆動系を制御する駆動回路等が形成されたフレキシブル配線基板１０５が取り付けられている。
【０００４】
この光ピックアップ装置１０１を光ディスクの内外周に亘って送り操作する光ピックアップ送り機構１０４は、光ディスクの径方向に亘って、ガイド軸１０２，１０３と平行に配設されたリードスクリュー１０７と、ピックアップベース１０１に配設されるとともにリードスクリュー１０７に係合されることにより、ピックアップベース１０１をリードスクリュー１０７の軸方向に移動させるラック部材１０８とを備える。
【０００５】
リードスクリュー１０７は、一端がリードスクリュー１０７を回転駆動する送りモータ１１０と接続され、他端を図示しない軸受けによって支持され、送りモータ１１０によって回転駆動される。また、リードスクリュー１０７は、図１５に示すように、軸方向に沿って螺旋状のネジ溝１１１が形成され、このネジ溝１１１にラック部材１０８が摺動可能に係合されている。そして、リードスクリュー１０７は、送りモータ１１０に回転駆動されることにより、ラック部材１０８を介してピックアップベース１０１を光ディスクの径方向亘って移動させることができる。
【０００６】
リードスクリュー１０７のネジ溝１１１に係合されるラック部材１０８は、一端をピックアップベース１０１にビス等により取り付けられ、他端においてリードスクリュー１０７のネジ溝１１１側に突設されネジ溝１１１と係合する一対の係合突部１１２，１１２が形成されている。一対の係合突部１１２，１１２は、リードスクリュー１０７のネジ溝１１１の傾斜と同一の傾斜を持って形成され、またネジ溝１１１と略同一の間隔を有して形成されている。ラック部材１０８は、リードスクリュー１０７が回転駆動されるとネジ溝１１１に沿って係合突部が１１２が軸方向に沿って移動され、これに伴ってピックアップベース１０１を移動させる。
【０００７】
このような光ピックアップ送り機構１０４を備える記録再生装置は、製造時において、ピックアップベース１０１が光ディスクの内周側又は外周側に位置され、これを初期位置とされている。
【０００８】
ところで、記録再生装置の出荷等の運搬時において、個々の装置本体での、又は梱包された状態での不慮の落下事故が発生する場合がある。落下事故時には、記録再生装置の各構成部品に破損が生じることがあるが、中でも、光ピックアップ装置にかかる落下の衝撃は、ピックアップ送り機構１０４の中で増幅され、装置本体に係る衝撃の１０倍程度の衝撃がかかることがある。すなわち、図１６（Ａ）に示すように、記録再生装置は、光ピックアップ装置１００のピックアップベース１０１が初期位置として光ディスクの内周側又は外周側に位置されているため、同図（Ｂ）に示すように、ピックアップベース１０１の初期位置とリードスクリュー１０７の軸方向の反対側に向かって装置本体が落下されると、同図（Ｃ）に示すように、ピックアップベース１０１がリードスクリュー１０７の軸方向に沿って落下してしまう。
【０００９】
これは、リードスクリュー１０７とピックアップベース１０１とを連結するラック部材１０８は、係合突部１１２がネジ溝１１１を摺動可能に係合されているため、係合力が弱く、図１７に示すように、両者の係合が容易に外れてしまうことによる。
【００１０】
図１８〜図２０に記録再生装置の落下方向別に測定した衝撃力の測定結果を示す。この落下試験は、記録再生装置の出荷時と同様に梱包し、高さ１２０ｃｍから梱包落下させたときに、装置本体にかかる衝撃と、ピックアップベース１０１にかかる衝撃とを測定したものである。図１８は、装置本体の落下方向を示す。ガイド軸１０２，１０３及びリードスクリュー１０７は、図１８中、前面から後面に亘って延設されている。図１９はこの落下方向別に装置本体とピックアップベース１０１とにかかる重力加速度（Ｇ）を測定した結果を示すグラフであり、図２０は、装置本体を前面方向に落下させたときの装置本体とピックアップベース１０１とにかかる重力加速度（Ｇ）と経過時間との関係を示すグラフである。
【００１１】
この落下試験によれば、いずれの方向に落下させた場合にも、装置本体にかかる衝撃力は１１０Ｇ〜１５０Ｇ程度であるのに対して、ピックアップベース１０１にかかる衝撃力は、ピックアップベース１０１の落下が伴わない右サイド、左サイド、天面及び底面方向に落下させた場合、装置本体とほぼ同じ程度の衝撃力がかかり、ピックアップベース１０１の落下が伴う前面及び後面方向に落下させた場合には略１０００Ｇ若しくは略１７００Ｇもの衝撃力がかかることがわかる。これは、リードスクリュー１０７の軸方向に落下されると、ピックアップベース１０１がガイド軸１０２，１０３及びリードスクリュー１０７に沿って移動されるため、さらに加速されてしまうことによる。
【００１２】
このような落下事故による光ピックアップ装置の破損を防止するために、従来では、製品の出荷時に予めピックアップベースをリードスクリューの一端側にネジ止めし、また紙やプラスチック製のシートを利用し、ピックアップベースを移動不可能に固定する機構が用いられていた。しかし、いずれも、実使用時にユーザ側でネジやシートを取り外す作業が強いられていた。
【００１３】
また、ラック部材１０８に、ネジ溝１１１に係合される係合突部１１２，１１２をリードスクリュー１０７側に付勢する捻りコイルバネ等の付勢部材を用いてラック部材１０８とリードスクリュー１０７との係合を保持する場合にも、実使用時においてラック部材１０８の係合突部１１２，１１２とリードスクリュー１０７のネジ溝１１１とを摺動可能とする必要から、ラック部材１０８をリードスクリュー１０７側に付勢する付勢力にも一定の限界がある。したがって、装置本体がガイド部材１０２，１０３及びリードスクリュー１０７の軸方向に落下された場合、ピックアップベース１０１の落下を防止することはできない。
【００１４】
【特許文献１】特開平１０−７４３６９号公報
【発明の開示】
【発明が解決しようとする課題】
【００１５】
そこで、本発明は、落下事故時においてもピックアップベースをリードスクリューの一端側に確実に係止すると共に実使用時には容易にピックアップベースの係止を解除することができる光ピックアップ送り機構及びこれを用いた記録再生装置を提供することを目的とする。
【課題を解決するための手段】
【００１６】
上述した課題を解決するために、本発明に係る光ピックアップ送り機構は、ディスク回転駆動機構に装着された光ディスクの内外周間に亘って延設され、軸方向に沿って螺旋状のネジ溝が形成されたリードスクリューと、上記光ディスクに対して情報信号の記録又は再生を行う光ピックアップ装置のピックアップベースに設けられ、上記リードスクリューのネジ溝に螺合されることにより該リードスクリューが回転駆動されると上記光ディスクの最内周と最外周との間に亘って送り操作されるラック部材とを備え、上記ラック部材は、上記リードスクリューの最内周側端部又は最外周側端部に係合される係合部が設けられ、上記リードスクリューは、上記光ディスクの最内周又は最外周に対応した位置に、上記リードスクリューと共に一方に回転されることにより上記光ディスクの最内周又は最外周に送り操作された上記ラック部材の係合部と係合して上記ピックアップベースを係止させ、上記リードスクリューと共に他方に回転されることにより上記光ディスクの信号記録領域に送り操作された上記ラック部材の係合部との係合が解除される係止部材が形成されている。
【００１７】
また、本発明に係る記録再生装置は、光ディスクを回転可能に保持するディスク回転駆動機構と、上記光ディスクに対して情報信号の記録又は再生を行う光ピックアップ装置と、上記光ピックアップ装置を上記ディスク回転駆動機構に保持された上記光ディスクの径方向に亘って送り操作する光ピックアップ送り機構とを備え、上記光ピックアップ送り機構は、上記ディスク回転駆動機構に装着された上記光ディスクの径方向に亘って延設され、軸方向に沿って螺旋状のネジ溝が形成されたリードスクリューと、上記光ピックアップ装置のピックアップベースに設けられ、上記リードスクリューのネジ溝に螺合されることにより該リードスクリューが回転駆動されると上記光ディスクの最内周と最外周との間に亘って送り操作されるラック部材とを有し、上記ラック部材は、上記リードスクリューの最内周側端部又は最外周側端部に係合される係合部が設けられ、上記リードスクリューは、上記光ディスクの最内周又は最外周に対応した位置に、上記リードスクリューと共に一方に回転されることにより上記光ディスクの最内周又は最外周に送り操作された上記ラック部材の係合部と係合して上記ピックアップベースを係止させ、上記リードスクリューと共に他方に回転されることにより上記光ディスクの信号記録領域に送り操作された上記ラック部材の係合部との係合が解除される係止部材が形成されている。
【発明の効果】
【００１８】
このような光ピックアップ送り機構及び記録再生装置によれば、ピックアップベースが初期位置にあるときは、ラック部材の係合部がリードスクリューの係止部材に係止されることにより、装置本体がリードスクリューの軸方向に落下する事故が発生しても、ピックアップベースがリードスクリューの外周側端部又は内周側端部に係止されるため、リードスクリューを落下することによる衝撃を防止することができる。また、光ピックアップ装置の実使用時には、リードスクリューを回転駆動させるだけで、ラック部材の係合部とリードスクリューの係止部材との係合を解除することができるため、ユーザ側にピックアップベースのリードスクリューの外周側端部又は内周側端部への係止を解除するための特別な操作を何ら必要とすることなく、リードスクリューを回転させることによってピックアップベースを光ディスクの内外周に亘って移動可能な状態にすることができる。
【発明を実施するための最良の形態】
【００１９】
以下、本発明が適用された光ピックアップ送り機構及び記録再生装置について、図面を参照しながら詳細に説明する。この記録再生装置１は、光ディスク又は光磁気ディスク等の記録又は再生用のドライブ装置であり、図１に示すように、パソコン等のホスト機器２のドライブベイに搭載されるものである。
【００２０】
この記録再生装置１は、図２に示すように、略矩形状の上下一対のハーフ８，９を突き合わせて形成された装置本体３を備え、この装置本体３の内部に、光ディスク４が載置されるディスクトレイ５と、ディスクトレイ５に載置された光ディスク４を回転自在に保持するディスク回転駆動機構６及び光ディスク４に対して情報信号の再生を行う光ピックアップ装置を有する光ピックアップ機構７が搭載されたベースシャーシ１０とが配置されている。
【００２１】
装置本体３の下ハーフ９には、ディスク回転駆動機構６及び光ピックアップ機構７が搭載されたベースシャーシ１０配置されると共に、記録再生装置１の駆動を制御する制御回路やホスト機器２との接続を図る接続コネクタ等が形成された回路基板１７配設されている。また、下ハーフ９は、前面９ａ側に矩形開口部１１が形成され、ディスクトレイ５が前面９ａ側に引き出し可能とされている。下ハーフ９の前面９ａには、ディスクトレイ５の排出、挿入等の操作を行うための操作釦等が設けられた操作部１２が形成されている。また、下ハーフ９の相対向する側壁９ｂ，９ｃには、ディスクトレイ５の装置本体３からの挿脱をガイドするガイド部材１３が背面９ｄ側から前面９ａ側にかけて形成されている。ガイド部材１３は、ディスクトレイ５の側面部に形成された係合部と係合され、詳細を省略する駆動機構により、ディスクトレイ５を下ハーフ９の前面９ａ側又は背面９ｄ側へ搬送する。
【００２２】
この下ハーフ９に配設される回路基板１７は、いわゆるリジット基板であり、配線パターンが形成されるとともに、ホスト機器２との接続を図るコネクタや電源ユニット等の各種電子部品が実装されている。また、回路基板１７は、後述する光ピックアップ機構７の光ピックアップ装置と接続されたＦＰＣ（flexible printed circuit）２３が取り付けられている。
【００２３】
下ハーフ９に移動自在に支持されているディスクトレイ５は、光ディスク４が収納される収納凹部１５が形成されている。収納凹部１５は、光ディスク４と略同一の大きさを有する略円形の凹部からなり、主面部にベースシャーシ１０に配設されたディスク回転駆動機構６のディスクテーブル２０及び光ピックアップ機構７の対物レンズ３７を光ディスク４側に臨ませる開口部１６が形成されている。開口部１６は、ディスク回転駆動機構６のディスクテーブル２０が挿通される円弧部１６ａと、円弧部１６ａの一部より光ディスク４の径方向に亘って略矩形状に開口された矩形部１６ｂとを有し、光ディスク４の内周側から外周側にかけて光ディスク４の信号記録面と光ピックアップ機構７の光ピックアップ装置３０とを対峙させている。
【００２４】
なお、ディスクトレイ５は、装置本体３内に収納されたときに、前面部５ａが下ハーフ９の矩形開口部１１を閉塞するシャッタ部１８とされている。また、ディスクトレイ５は、両側面部５ｂに、下ハーフ９の側壁９ｂ，９ｃに形成されたガイド部材１３に係合される係合部１９が形成されている。ディスクトレイ５は、係合部１９がガイド部材１３にガイドされることにより、装置本体３内外に亘って移動自在に支持されている。
【００２５】
そして、ディスクトレイ５は、装置本体３の前面側に排出され、収納凹部１５に光ディスク４が載置されると、操作部１２の操作を待ってガイド部材１３にガイドされながら装置本体３内に引き込まれる。ディスクトレイ５は、装置本体３内に引き込まれると、開口部１６の円弧部１６ａに後述するディスク回転駆動機構６のディスクテーブルが下方より進入し、収納凹部１５に載置された光ディスク４が回転自在にチャッキングされる。また、開口部１６の矩形部１６ｂには、光ピックアップ機構７の光ピックアップ装置３０が臨まされ、開口部１６を介して光ディスク４の信号記録面にレーザ光が照射され、また信号記録面より反射された戻り光が光ピックアップ装置に入射される。
【００２６】
下ハーフ９に配設され、装置本体３内にに引き込まれたディスクトレイ５に載置された光ディスク４を回転駆動するディスク回転駆動機構６は、光ディスク４をクランプするディスクテーブル２０と、先端にディスクテーブル２０が設けられたスピンドル軸２１を備え、ディスクテーブル２０を回転駆動することによって光ディスク４を回転するスピンドルモータ２２とを有する。
【００２７】
そして、ディスク回転駆動機構６は、ディスクトレイ５が装置本体３内に引き込まれ、光ディスク４がディスクテーブル２０にチャッキングされると、スピンドルモータ２２を駆動し、光ディスク４をＣＬＶ（Constant Linear Velocity）、ＣＡＶ（Constant Angular Velocity）又はこれらの組み合わせで回転する。
【００２８】
次いで、下ハーフ９に設けられ、光ディスク４に対して情報信号の記録又は再生を行う光ピックアップ機構７について説明する。この光ピックアップ機構７は、図３に示すように、ディスクテーブル２０に載置された光ディスク４に対して情報信号の記録又は再生を行う光ピックアップ装置３０と、光ピックアップ装置３０を光ディスク４の径方向に亘って送り操作させるピックアップ送り機構３１とを有する。
【００２９】
光ピックアップ装置３０は、略矩形の筐体からなるピックアップベース３６を備え、このピックアップベース３６に、少なくとも、装着された光ディスク４の種類に応じた波長の光ビームを出射する半導体レーザなどの図示しない光源と、この光源から照射した光ビームを光ディスク４の信号記録面に収束させて照射する対物レンズ３７と、光ディスク４の記録面から反射の戻り光を検出する図示しない光検出器と、対物レンズ３７を光ディスク４のフォーカシング方向及びトラッキング方向に駆動させる駆動系が配設されている。また光ピックアップ装置３０は、ピックアップベース３６の長手方向の一端側３６ａに後述するガイド軸３３が挿通される挿通孔３８が形成され、他端部３６ｂに後述するガイド軸３４に係合する係合片３９が形成されている。ピックアップベース３６には、対物レンズ３７の駆動系を制御する駆動回路等が形成されたＦＰＣ２３が取り付けられている。
【００３０】
また、光ピックアップ装置３０は、ガイド軸３３と隣接して設けられ、ピックアップベース３６を送り操作させるピックアップ送り機構３１のリードスクリュー４２と係合するラック部材４４が設けられている。
【００３１】
この光ピックアップ装置３０は、ベースシャーシ１０に配設された一対のガイド軸３３，３４に支持されることにより、光ディスク４の内外周に亘る移動をガイドされると共に対物レンズ３７がディスクトレイ５に形成された開口部１６より光ディスク４の信号記録面と対峙される。
【００３２】
そして、光ピックアップ装置３０は、光ディスク４に記録されているデータを読み出すとき、半導体レーザの出力を標準レベルに設定し、半導体レーザよりレーザ光である光ビームを出射する。また、光ピックアップ装置３０は、記録データを光ディスク４に記録するとき、半導体レーザの出力を、再生時の標準レベルより高い記録レベルにして、半導体レーザよりレーザ光である光ビームを出射する。光ピックアップ装置３０は、記録再生時、光ディスク４に光ビームを照射し、信号記録面で反射した戻りの光ビームを光検出器で検出し、光電変換する。また、対物レンズ３７は、２軸アクチュエータ等の対物レンズ駆動機構に保持され、フォーカシングサーボ信号に基づいて対物レンズ３７の光軸と平行なフォーカシング方向に駆動変位され、また、トラッキングサーボ信号に基づいて対物レンズ３７の光軸に直交するトラッキング方向に駆動変位される。
【００３３】
ガイド軸３３と隣接して設けられ、光ピックアップ装置３０を光ディスク４の径方向に亘って送り操作させる光ピックアップ送り機構３１は、図３に示すように、光ピックアップ装置３０の移動をガイドする一対のガイド軸３３，３４と、ガイド軸３３に隣接してこのガイド軸３３と平行に光ディスク４の径方向に亘ってベースシャーシ１０に取り付けられているリードスクリュー４２と、リードスクリュー４２を回転駆動する送りモータ４３と、ピックアップベース３６に接続されると共にリードスクリュー４２に係合されピックアップベース３６を送り操作するラック部材４４とを有する。
【００３４】
この光ピックアップ装置３０の移動をガイドする一対のガイド軸３３，３４は、装置本体３内に引き込まれたディスクトレイ５に載置された光ディスク４の径方向に亘って平行に配設されている。ガイド軸３３は、ピックアップベース３６の一端側３６ａに形成された挿通孔３８に摺動自在に挿通され、ガイド軸３４は、ピックアップベース３６の他端部３６ｂに形成された係合片３９に摺動自在に係合されている。これらガイド軸３３，３４は、光ディスク４の径方向に亘って延設されることにより、ピックアップベース３６を光ディスク４の内周側と外周側との間に亘る移動をガイドする。
【００３５】
リードスクリュー４２は、ガイド軸３３の近傍にガイド軸３３と平行に延設されている。リードスクリュー４２は、軸部４５の光ディスク４の内周側端部４５ａが軸受け４６に回転自在に支持され、光ディスク４の外周側端部４５ｂが送りモータ４３の駆動軸と連結され一体とされている。
【００３６】
リードスクリュー４２の軸部４５は、ネジ溝４７が形成され、ピックアップベース３６に設けられたラック部材４４がこのネジ溝４７を摺動可能に係合されている。リードスクリュー４２は、送りモータ４３に回転駆動されることにより、ラック部材４４を介してピックアップベース３６を光ディスク４の径方向に亘って移動させることができる。
【００３７】
また、リードスクリュー４２は、軸部４５の外周側端部４５ｂに、ラック部材４４と係合することによりラック部材４４を介してピックアップベース３６を外周側端部４５ｂに係止する係止部材４８が設けられている。係止部材４８は、軸部４５と一体に設けられ、リードスクリュー４２が送りモータ４３によって回転されると軸部４５と一体に回転される。また、係止部材４８は、ラック部材４４の係合部５６が嵌入される係止溝４９が形成されている。係止溝４９は、軸部４５に形成されたネジ溝４７の傾斜と略同一の傾斜を有し、リードスクリュー４２が回転されることにより、ネジ溝４７に沿って送り操作されるラック部材４４の係合部５６が嵌入し、また退出可能とされている。
【００３８】
軸部４５の外周側端部４５ｂに設けられリードスクリュー４２を回転駆動する送りモータ４３は、直流モータが用いられ、ステッピングモータとして構成されている。そして、送りモータ４３は、矩形波によりステップ送りされることによってリードスクリュー４２を回転駆動して、ピックアップベース３６を光ディスク４の径方向に亘って移動させる。
【００３９】
このリードスクリュー４２に形成されたネジ溝４７に係合されるラック部材４４は、一端をピックアップベース３６にビス止めされ、他端においてリードスクリュー４２のネジ溝４７と係合することにより、リードスクリュー４２の回転運動を直線移動に変換するものである。
【００４０】
このラック部材４４は、図４に示すように、リードスクリュー４２のネジ溝４７に係合する係合突部５１と、係合突部５１をリードスクリュー４２との係合を保つ距離に維持する押圧部材５２が収納される収納部５３とを有する。
【００４１】
係合突部５１は、収納部５３のリードスクリュー４２側の収納壁５３ａにリードスクリュー４２側へ突設されている。この係合突部５１は、リードスクリュー４２のネジ溝４７の傾斜と同一の傾斜をもって形成されている。また、係合突部５１は、ネジ溝４７と略同一の幅を有している。そして、ネジ溝４７に係合された係合突部５１は、リードスクリュー４２が回転駆動されると、ネジ溝４７に沿って移動してリードスクリュー４２の軸方向に移動する。
【００４２】
収納部５３内に収納される押圧部材５２は、捻りコイルバネや、略コ字状に形成された剛性を有する金属板が用いられる。この押圧部材５２は、収納部５３に収納されることにより、収納部５３の収納壁５３ａをリードスクリュー４２側に付勢し、ピックアップベース３６の搬送中に収納壁５３ａに形成されている係合突部５１がリードスクリュー４２のネジ溝４７より外れる歯飛びを防止することができる。
【００４３】
収納部５３のガイド軸３３側上縁には、ラック部材４４をピックアップベース３６に接続するための接続面部５５が形成されている。接続面部５５は、ピックアップベース３６の一端側３６ａに延設され、ピックアップベース３６の上面部にビス止めされることにより接続されている。
【００４４】
また、接続面部５５の外周側には、リードスクリュー４２の係止部材４８と係合される係合部５６が形成されている。係合部５６は、収納部５３と所定の間隙５７を隔てて設けられ、リードスクリュー４２側へ突出され、収納部５３の収納壁５３ａと略面一とされている。この係合部５６は、図５（Ａ）に示すように、ラック部材４４がリードスクリュー４２の軸部４５の外周側端部４５ｂに位置されたとき、軸部４５に設けられた係止部材４８の係止溝４９に嵌入されることによりピックアップベース３６を軸部４５の外周側端部４５ｂに係止させる。また、図５（Ｂ）〜図５（Ｄ）に示すように、係合部５６は、ラック部材４４がリードスクリュー４２の軸方向に沿って軸部４５の内周側端部４５ａ方向へ移動されることにより、軸部４５と一体に回転される係止部材４８の係止溝４９より退出され、ピックアップベース３６と係止部材４８との係合が解除される。
【００４５】
そして、ラック部材４４は、図５（Ａ）に示す軸部４５の外周側端部４５ｂ側を製造、出荷時の初期位置とされ、係合部５６と係止部材４８とが係合されることにより、ピックアップベース３６を軸部４５の外周側端部４５ｂに係止させておくことができる。したがって、記録再生装置１の運搬時において、個々の装置本体での、又は梱包された状態での不慮の落下事故が発生し、装置本体３がリードスクリュー４２の軸方向に落下された場合でも、ピックアップベース３６は、図６に示すように、ラック部材４４の係合部５６が係止部材４８の係止溝４９と係合されることにより、軸部４５の外周側端部４５ｂに係止され、リードスクリュー４２の軸方向への落下が防止される。これにより、ピックアップベース３６の破損を防止することができる。
【００４６】
ここで、図７に示すように、係止部材４８は、係止溝４９内のラック部材４４の係合部５６と当接される当接面４９ａをリードスクリュー４２の軸方向と略直交するとともにラック部材４４の係合部５６の当接面５６ａと平行な面に形成することにより、軸方向の落下衝撃を当接面４９ａ全体で受けることができるため、確実にピックアップベース３６を係止させることができる。
【００４７】
このような光ピックアップ送り機構３１を備えた記録再生装置１は、製造出荷時においては、ピックアップベース３６がリードスクリュー４２の軸部４５の外周側端部４５ｂ側に送り操作されて、図５（Ａ）に示すように、ラック部材４４の係合部５６が軸部４５に設けられた係止部材４８の係止溝４９に嵌入されることにより、軸部４５の外周側端部４５ｂに係止されている。
【００４８】
そして、出荷後、ユーザ側における実使用時には、操作部１２の操作を受けてリードスクリュー４２が送りモータ４３によって図５（Ｂ）中矢印Ｒ方向に回転駆動される。リードスクリュー４２が回転されることにより軸部４５のネジ溝４７に係合されているラック部材４４の係合突部５１が軸方向に沿って内周側端部４５ａ側へ移動されていく。このとき、リードスクリュー４２の回転に伴い、軸部４５に設けられた係止部材４８も一体に回転する。係止部材４８は、係止溝４９がネジ溝４７と同一の傾斜を備えて形成されているため、図５（Ｂ）〜図５（Ｄ）に示すように、リードスクリュー４２の回転に応じて係止溝４９に嵌入されているラック部材４４の係合部５６が退出されていく。したがって、記録再生装置１は、ユーザ側にピックアップベース３６の外周側端部４５ｂへの係止を解除するための特別な操作を何ら必要とすることなく、リードスクリュー４２を回転させることによってピックアップベース３６を光ディスク４の内外周に亘って移動させることができる。
【００４９】
次いで、図８及び図９を用いて、本発明にかかる光ピックアップ送り機構３１が適用された記録再生装置１の落下試験について説明する。この落下試験は、記録再生装置１の出荷時と同様に梱包し、高さ１２０ｃｍから梱包落下させたときに、装置本体３にかかる衝撃と、ピックアップベース３６にかかる衝撃とを測定したものである。装置本体３の落下方向は、図１８に示す方向のうち、リードスクリュー４２の軸線方向と同方向となる前面方向に落下させた。このときの装置本体３及びピックアップベース３６とにかかる落下衝撃と経過時間との関係を図９のグラフに示す。
【００５０】
この図９に示すグラフによれば、本発明に係る記録再生装置１においては、前面方向に落下された場合にも（図８（Ａ））、ラック部材４４の係合部５６がリードスクリュー４２の外周側端部４５ｂに設けられた係止部材４８に係止されるため（図８（Ｂ））、ピックアップベース３６はリードスクリュー４２の内周側端部４５ａ側へ落下せず（図８（Ｃ））、装置本体３と同程度の衝撃力（略１５０Ｇ）しかかからない。したがって、ピックアップベース３６の破損が防止される。なお、ラック部材４４及び係止部材４８についても、装置本体３と同程度の衝撃力しかかからないため、これらが破損することはない。
【００５１】
また、本発明が適用された光ピックアップ送り機構及び記録再生装置は、以下のように形成してもよい。なお、以下の説明において、上記記録再生装置１と同一の部材は同一の符号を付してその詳細を省略する。このピックアップ送り機構６０は、図１０及び図１１に示すように、光ピックアップ装置３０の移動をガイドする一対のガイド軸３３，３４と、ガイド軸３３に隣接してこのガイド軸３３と平行に光ディスク４の径方向に亘ってベースシャーシ１０に取り付けられているリードスクリュー６２と、リードスクリュー６２を回転駆動する送りモータ４３と、ピックアップベース３６に接続されると共にリードスクリュー６２に係合されピックアップベース３６を送り操作するラック部材６４とを有する。
【００５２】
リードスクリュー６２は、ガイド軸３３の近傍にガイド軸３３と平行に延設されている。リードスクリュー６２は、上記リードスクリュー４２と同様に軸部６５の光ディスク４の内周側端部６５ａを軸受けに回転自在に支持され、外周側端部６５ｂが送りモータ４３の駆動軸と連結されて一体とされている。
【００５３】
リードスクリュー６２の軸部６５にはネジ溝６７が形成され、ピックアップベース３６に設けられたラック部材６４が係合されている。また、リードスクリュー６２は、軸部６５の外周側端部６５ｂに、ラック部材６４と係合することによりラック部材６４を介してピックアップベース３６を外周側端部６５ｂに係止する係止部材６８が設けられている。係止部材６８は、軸部６５と一体に設けられ、リードスクリュー６２が送りモータ４３に回転されると軸部６５と一体に回転される。この係止部材６８は、図１１に示すように、リードスクリュー６２の軸部６５よりラック部材６４に係止される係止突部６９が形成されてなる。係止突部６９は、リードスクリュー６２が送りモータ４３によって回転されるとネジ溝６７に沿って送り操作されるラック部材６４と係合され、またラック部材６４との係合が解かれる。
【００５４】
ラック部材６４は、上記ラック部材４４と同様に、ネジ溝６７に係合される係合突部７１と、押圧部材が収納される収納部７３とを有する。また、収納部７３のガイド軸３３側上縁には、ラック部材６４をピックアップベース３６に接続するための接続面部７５が形成され、この接続面部７５がピックアップベース３６にビス止めされることによりラック部材６４は、ピックアップベース３６に接続されている。
【００５５】
また、接続面部７５の外周側には、リードスクリュー６２に設けられた係止部材６８の係止突部６９と係合される係合凹部７６が形成されている。係合凹部７６は、収納部７３と所定の間隔を隔てて係合壁７７が設けられることにより、収納部７３と係合壁７７との間に形成される。係合凹部７６は、リードスクリュー６２の軸部６５に形成されたネジ溝６７の傾斜と略同一の傾斜を備えて形成されているため、リードスクリュー６２の回転に応じて係止突部６９が嵌入し、また退出可能とされている。そして、この係合凹部７６は、図１２に示すように、ラック部材６４がリードスクリュー６２の軸部６５の外周側端部６５ｂに位置されたとき、軸部６５に設けられた係止部材６８の係止突部６９が嵌入されることによりピックアップベース３６を軸部６５の外周側端部６５ｂに係止させる。また、係合凹部７６は、ラック部材６４がリードスクリュー６２の軸方向に沿って軸部６５の内周側端部６５ａ方向へ移動されることにより、軸部６５と一体に回転される係止突部６９が回転しながら退出され、係止部材６８との係合が解除される。
【００５６】
そして、ラック部材６４は、軸部６５の外周側端部６５ｂを製造、出荷時の初期位置とされ、係合凹部７６と係止突部６９とが係合されることにより、ピックアップベース３６を軸部６５の外周側端部６５ｂに係止させておくことができる。したがって、記録再生装置１の運搬時において、不慮の落下事故が発生し、装置本体３がリードスクリュー６２の軸方向に落下された場合でも、ピックアップベース３６は、ラック部材６４の係合凹部７６が係止突部６９に係合されることにより、軸部６５の外周側端部６５ｂに係止され、リードスクリュー６２の軸方向への落下が防止される。これにより、ピックアップベース３６の破損を防止することができる。
【００５７】
ここで、図１３に示すように、係合凹部７６は、係止突部６９との当接面７６ａをリードスクリュー６２の軸方向と略直交すると共に係止突部６９の嵌入、退出を可能とすべくリードスクリュー６２の軸方向を係止突部６９よりも広く形成し、また、係止突部６９の係合凹部７６との当接面６９ａを同様にリードスクリュー６２の軸方向と略直交させ、係合凹部７６の当接面７６ａと平行な面に形成することにより、軸方向の落下衝撃を係止突部６９の当接面６９ａ全体で受け止められるため、確実にピックアップベース３６を係止させることができる。
【００５８】
このような光ピックアップ送り機構６０を備えた記録再生装置１は、製造出荷時においては、ピックアップベース３６がリードスクリュー６２の軸部６５の外周側端部６５ｂ側に送り操作されて、図１２に示すように、ラック部材６４の係合凹部７６が軸部６５に設けられた係止部材６８の係止突部６９に嵌入されることにより、軸部６５の外周側端部６５ｂに係止されている。
【００５９】
そして、出荷後、ユーザ側における実使用時には、操作部１２の操作を受けてリードスクリュー６２が送りモータ４３によって回転駆動されることにより軸部６５のネジ溝６７に係合されているラック部材６４の係合突部７１が軸方向に沿って内周側端部６５ａ側へ移動されていく。このとき、リードスクリュー６２の回転に伴い、軸部６５に設けられた係止突部６９も一体に回転する。係止突部６９は、係合凹部７６がネジ溝６７と同一の傾斜を備えて形成されているため、リードスクリュー６２の回転に応じて係止凹部７６に嵌入されているリードスクリュー６２の係止突部６９が退出されていく。したがって、記録再生装置１は、ユーザ側にピックアップベース３６の外周側端部６５ｂへの係止を解除するための特別な操作を何ら必要とすることなく、リードスクリュー６２を回転させることによってピックアップベース３６を光ディスク４の内外周に亘って移動させることができる。
【００６０】
以上、本発明が適用された光ピックアップ送り機構及びこれを用いた記録再生装置において、ピックアップベース３６の初期位置をリードスクリュー４２，６２の外周側端部４５ｂ，６５ｂとした場合について詳細に説明したが、本発明は、ピックアップベース３６の初期位置をリードスクリュー４２，６２の内周側端部４５ａ，６５ａとしてもよい。この場合、係止部材４８，６８は、リードスクリュー４２，６２の内周側端部４５ａ，６５ａに形成される。
【産業上の利用可能性】
【００６１】
本発明は、光ディスク、光磁気ディスク等のディスク状記録媒体に対して情報信号の記録及び／又は再生を行う光ピックアップを備える記録／及び又は再生装置について適用することができる。また、コンピュータ等のホスト機器に組み込まれることにより該ホスト機器本体の記録及び／又は再生部を構成する記録再生装置や、単体で用いられる据置型又は携帯型の記録及び／又は再生装置に適用することができる。
【図面の簡単な説明】
【００６２】
【図１】ホスト機器に組み込まれる本発明が適用された記録再生装置を示す斜視図である。
【図２】記録再生装置の分解斜視図である。
【図３】光ピックアップ機構を示す平面図である。
【図４】ラック部材を示す平面図である。
【図５】ラック部材と係止部材との係合を示す平面図である。
【図６】係止部材に係止されたラック部材を示す平面図である。
【図７】係止部材に係止されたラック部材を示す平面図である。
【図８】落下試験の概要を説明するための図である。
【図９】落下試験において装置本体を前面方向に落下させたときの装置本体とピックアップベースとにかかる重力加速度と経過時間との関係を示すグラフである。
【図１０】他の光ピックアップ機構を示す平面図である。
【図１１】上記他の光ピックアップ機構のリードスクリューを示す斜視図である。
【図１２】係止突部が係合凹部に嵌入された上記他の光ピックアップ機構を示す平面図である。
【図１３】さらに他の光ピックアップ機構を示す平面図である。
【図１４】従来の光ピックアップ送り機構に係合された光ピックアップ装置を示す平面図である。
【図１５】従来のリードスクリューのネジ溝に係合されているラック部材を示す平面図である。
【図１６】落下試験の概要を説明するための図である。
【図１７】落下衝撃によりネジ溝との係合が外れたラック部材を示す平面図である。
【図１８】落下試験における装置本体の落下方向を示す斜視図である。
【図１９】落下試験において落下方向別の装置本体及びピックアップベースにかかる重力加速度を測定した結果を示すグラフである。
【図２０】落下試験において装置本体を前面方向に落下させたときの装置本体とピックアップベースとにかかる重力加速度と経過時間との関係を示すグラフである。
【符号の説明】
【００６３】
１  記録再生装置、４  光ディスク、５  ディスクトレイ、６  ディスク回転駆動機構、７  光ピックアップユニット、１５  収納凹部、１６  開口部、１７  回路基板、１８  シャッタ部、２０  ディスクテーブル、２１  スピンドル軸、２２  スピンドルモータ、３０  光ピックアップ装置、３１  ピックアップ送り機構、３３，３４  ガイド軸、３６  ピックアップベース、３７  対物レンズ、４２  リードスクリュー、４３  送りモータ、４４  ラック部材、４５  軸部、４６  軸受け、４７  ネジ溝、４８  係止部材、４９  係止孔、５１  係合突部、５２  押圧部材、５３  収納部、５５  接続面部、５６  係合部、５７  間隙、６０  ピックアップ送り機構、６２  リードスクリュー、６４  ラック部材、６５  軸部、６７  ネジ溝、６８  係止部材、６９  係止突部、７１  係合突部、７２  押圧部材、７３  収納部、７５  接続面部、７６  係合凹部、７７  係合壁
【図１】
2005108382.tif 000003
【図２】
2005108382.tif 000004
【図３】
2005108382.tif 000005
【図４】
2005108382.tif 000006
【図５】
2005108382.tif 000007
【図６】
2005108382.tif 000008
【図７】
2005108382.tif 000009
【図８】
2005108382.tif 000010
【図９】
2005108382.tif 000011
【図１０】
2005108382.tif 000012
【図１１】
2005108382.tif 000013
【図１２】
2005108382.tif 000014
【図１３】
2005108382.tif 000015
【図１４】
2005108382.tif 000016
【図１５】
2005108382.tif 000017
【図１６】
2005108382.tif 000018
【図１７】
2005108382.tif 000019
【図１８】
2005108382.tif 000020
【図１９】
2005108382.tif 000021
【図２０】
2005108382.tif 000022